(57)【要約】  本発明は、打込み部と、打込み方向において打込み部から離れる方向に、ボア軸とボア径を有するボアを形成するためのドリル先端と、打込み部からドリル先端まで延びるシャフトとを備えたねじであって、シャフトはボア軸に対してねじの打込み方向が傾いている時にはボアを通ることができる留め具部を有し、その締め具部はボア軸に対してねじの打込み方向が平行である時には留め具部がボアを通ることを妨げる留め具部表面を有する。【選択図】図１【特許請求の範囲】
【請求項１】
打込み部と、打込み方向において前記打込み部から離れたところにあって、ボア軸とボア径を有するボアを形成するためのドリル先端とを備え、さらに前記打込み部から前記ドリル先端へと延びるシャフトを備える、ねじであって、
前記シャフトは、前記ボア軸に対して前記ねじの前記打込み方向が傾けられた時に前記ボアを通すことができる、留め具部を有し、前記留め具部は、前記ねじの前記打込み方向が前記ボア軸に平行な時は前記ボアを通すことを妨げる、留め具部表面を有する
ねじ。
【請求項２】
前記留め具部は、楕円形、より詳細には円形の断面を有する、請求項１に記載のねじ。
【請求項３】
前記留め具部は、前記シャフトの急湾曲部及び／又は緩湾曲部からなる、請求項１又は２に記載のねじ。
【請求項４】
前記シャフトは、前記留め具部と前記ドリル先端との間に第１のねじ部を有する第１のねじ領域を備える、請求項１乃至３の１つに記載のねじ。
【請求項５】
前記第１のねじ部が、前記打込み方向とは反対側に、前記留め具部表面まで又は前記留め具部表面を超えて延びている、請求項４に記載のねじ。
【請求項６】
前記シャフトは、前記留め具部表面と前記第１のねじ部との間に第１の非ねじ領域を有する、請求項４に記載のねじ。
【請求項７】
前記シャフトは、前記留め具部と前記打込み部の間に第２のねじ部を有する第２のねじ領域を備える、請求項１乃至６の１つに記載のねじ。
【請求項８】
前記第２のねじ部は、前記第１のねじ部よりも大きな外径を有する、請求項７に記載のねじ。
【請求項９】
前記打込み部はねじ頭を備え、前記第２のねじ部が前記ねじ頭まで延びている、請求項７又は８に記載のねじ。
【請求項１０】
前記打込み部はねじ頭を備え、前記シャフトが前記ねじ頭と前記第２のねじ部との間に第２の非ねじ領域を有する、請求項７又は８に記載のねじ。
【請求項１１】
断熱材を有する壁又は屋根を備えた建築物外面であって、前記壁又は前記屋根に前記断熱材が装着されており、請求項１乃至１０の１つに記載のねじで前記断熱材が前記壁又は前記屋根に留付けられている、建築物外面。
【請求項１２】
基板とカバー板とをさらに備え、前記ねじが前記カバー板を前記基板に留付けし、前記ねじの領域における前記カバー板から前記基板までの距離が前記ドリル先端の打込み入端部と前記ねじの前記留め具部表面の距離よりも大きい、請求項１１に記載の建築物外面。
【請求項１３】
ａ）前記壁に基板を留付けする工程と、
ｂ）前記基板に断熱材を配置する工程と、
ｃ）前記断熱材にカバー板を配置する工程と、
ｄ）請求項１乃至１０の１つに記載のねじで前記カバー板を前記基板に留付けする工程
からなる、建物壁を断熱する方法。
【請求項１４】
ｄ１）前記ドリル先端を用いて第１のボアが前記カバー板に穿孔され、
ｄ２）前記留め具部表面が前記カバー板に当接するまで、前記ねじが前記カバー板において前記第１のボアを通して案内され、
ｄ３）前記留め具部を前記第１のボアを通して移動させるために前記ねじが傾けられ、
ｄ４）前記ねじの前記打込み方向が前記第１のボアの前記領域の前記カバー板に垂直になるまで、前記ねじの傾きが戻され、
ｄ５）前記ドリル先端が前記基板に当接するまで、前記第１のボアを通じて前記ねじが十分に遠くまで案内され、
ｄ６）前記ドリル先端で第２のボアが穿孔され、
ｄ７）前記留め具部が前記基板に当接するまで、前記ねじが前記第１のボア及び前記第２のボアを通じて案内される、
からなる、請求項１３に記載の方法。
【発明の詳細な説明】
【技術分野】
【０００１】
本発明は、ねじ、建築物外面（Gebaeudehuelle）、及び建物壁又は建物屋根を断熱する方法に関する。
【背景技術】
【０００２】
上述の方法は、特許文献１により既知である。後方換気の金属外面を断熱するため、断熱材が、垂直支持体に装着されるとともに枠仕切り壁を有する枠形状物に挿入される。熱橋を避けるため、スペーサーストリップが枠仕切り壁に設置及びねじ留めされており、枠仕切り壁の間には追加の断熱パネルが収納されている。
【先行技術文献】
【特許文献】
【０００３】
【特許文献１】欧州特許第５１０５６３号明細書
【発明の概要】
【発明が解決しようとする課題】
【０００４】
本発明の解決しようとする課題は、ねじ、建築物外面、及び建築物外面の容易な断熱を可能とする建物壁又は建物屋根の断熱方法を提供することである。
【課題を解決するための手段】
【０００５】
打込み部と、打込み方向において打込み部から離れたところにあって、ボア軸とボア径を有するボアを形成するためのドリル先端とを備え、さらに打込み部からドリル先端へと延びるシャフトを備える、ねじであって、シャフトは、ボア軸に対してねじの打込み方向が傾いている際にはボアを通ることができる留め具部を有し、その留め具部はボア軸にねじの打込み方向が平行な際には留め具部がボアを通ることを妨げるための留め具部表面を有する、ことにより課題を解決する。
【０００６】
本発明の優位な形態は、留め具部が楕円形の断面を有する、ことを特徴とする。断面は、円形であることが好ましい。
【０００７】
本発明の優位な形態は、留め具部がシャフトの急湾曲部を備える、ことを特徴とする。もう一つの本発明の優位な形態は、留め具部が前記シャフトの緩湾曲部を備える、ことを特徴とする。
【０００８】
本発明の優位な形態では、シャフトが留め具部とドリル先端との間に、第１のねじ部を有する第１のねじ領域を有する、ことを特徴とする。第１のねじ部は、打込み方向とは反対側に、留め具部表面まで又は留め具部表面を超えて延びている、ことが好ましい。代替の形態では、シャフトが留め具部表面と第１のねじ部との間に第１の非ねじ領域を有する。
【０００９】
本発明の優位な形態では、シャフトが留め具部と打込み部の間に、第２のねじ部を有する第２のねじ領域を有する、ことを特徴とする。第２のねじ部は、前記第１のねじ部よりも大きい外径を有することが好ましい。
【００１０】
打込み部は、ねじ頭を備えることが好ましい。第２のねじ部は、そのねじ頭まで延びていることが特に好ましい。代替の形態では、シャフトがねじ頭と第２のねじ部の間に第２の非ねじ領域を有する。
【００１１】
本発明の優位な形態では、断熱材を含む壁又は屋根を有する建築物外面であって、断熱材を壁又は屋根に固定するために断熱材を壁又は屋根に取り付けた建築物外面にねじが挿入される。建築物外面は基板とカバー板とを備えることが好ましく、ねじがカバー板を基板に留付し、ねじの領域におけるカバー板から基板までの距離がドリル先端の打込み入端部とねじの留め具部表面の距離よりも大きい。
【００１２】
本発明の優位な発展形態において、建築物外面は、基板から突出し、ねじが留付けられた枠仕切り壁をさらに有する。基板は、枠仕切り壁とともに枠を構成する。基板、枠仕切り、及び／又はカバー板の材料は、金属又は合金であることが好ましい。
【００１３】
建物壁を断熱する方法において解決しようとする課題は、壁に基板を留付し、基板に断熱材を配置し、断熱材にカバー板を配置し、ねじでカバー板を基板に留付けることである。ドリル先端により第１のボアがカバー板に穿孔され、留め具部表面がカバー板に当接するまで、ねじがカバー板の第１のボアを通して案内され、留め具部が第１のボアを通して移動できるようにねじが傾けられ、ねじの打込み方向が第１のボアの領域でカバー板に垂直になるまで、ねじの傾きが戻され、ドリル先端が基板に第２のボアを掘削するまで、カバー板の第１のボアを通してねじが案内され、留め具部が基板に当接するまで、ねじが第１のボア及び第２のボアを通して案内されることが好ましい。以下、図面を参照しながら本発明を詳細に説明する。
【図面の簡単な説明】
【００１４】
【図１】留付中の建物要素の断面の切り出し図である。
【図２】留付後の建築物外面の切り出し図である。
【発明を実施するための形態】
【００１５】
図１は、壁１１０に基板１２０がねじ又は釘で留められ、枠仕切り壁１３０が各基板から突出して鉄枠を形成している建築物外面１００の断面図を示す。枠仕切り壁１３０はそれぞれ、直角を成す締付け領域１４０を有する。断熱パネルとして作られた各断熱材１５０が、各パネルに挿入される。断熱材１５０はカバー板１７０により外部環境と隔てられており、カバー板１７０は枠仕切り壁１３０を介して、ねじ１８０で基板１２０に留付けられる。カバー板１７０は、鋼板金属として作られている。図示しない実施例では、カバー板がプラスチック製及び／又はフィルムとして構成されている。断熱パネル１５０は、圧縮性断熱材量、例えばロックウール又はグラスウール等の鉱物ウールを含む。
【００１６】
ねじ１８０は打込み部としてのねじ頭１８２と、打込み方向２００においてねじ頭１８２から離れたところにあるドリル先端１８１とを有し、そのドリル先端１８１は第１のボア１６０をカバー板１７０に、第２のボアを締付け領域１４０に穿孔する。ねじ１８０のドリル先端１８１とねじ頭１８２との間に延在するシャフト１８３は、ドリル先端１８１に隣接する第１のねじ領域におけるセルフタッピングの第１のねじ部１８４と、第２のねじ領域における第２のねじ部１８５とに接続する。第２のねじ部１８５の直径は、第１のねじ部１８４より大きい。頭１８２の下で、密封ワッシャーと、カバーワッシャーとを有する密封ワッシャー装置１８６がねじシャフト１８３に沿って引き上げられている。
【００１７】
ねじシャフト１８３は、シャフト１８３の急湾曲部１８８を有する留め具部１８７と、留め具部表面１８９と、シャフト１８３の緩湾曲部１９０とを備える。留め具部表面１８９は、シャフト１８３の急湾曲部１８８によりシャフトの周囲面に形成され、図１が示す位置で第１のボア１６０を通じた留め具部１８７の通過を妨げている。全領域、特に留め具部の領域でシャフト１８３は円形の断面を有する。第１のねじ部１８４は打込み方向２００と反対側に留め具部表面１８９にまで延びており、第２のねじ部１８５は打込み方向２００と反対側に密封ワッシャー装置１８６にまで延びている。図示されていない実施例においては、シャフトは、留め具部表面と第１のねじ部の間及び／又は密封ワッシャー装置と第２のねじ部の間に非ねじ領域を有する。
【００１８】
建築物外面１００を断熱するため、基板１２０が最初に壁１１０に留付けられる。次に断熱材１５０が基板１２０に配置され、カバー板１７０が断熱材１５０に配置されるとともに、ねじ１８０によって基板に留付けられる。最初に、ドリル先端１８１でカバー板１７０に第１のボア１６０を、その第１のボア１６０がカバー板１７０の表面１７１に垂直なボア軸を有するように、穿孔する。そうすると、第１のボア１６０のボア径は、ドリル先端１８１の外径と同じ大きさになる。次に、カバー板１７０の表面１７１に留め具部表面１８９が当接するまで、ドリル先端１８１よりも、すなわちボアよりも大きな、外径を有する第１のねじ部１８４により、ねじ１８０が第１のボア１６０を通じてねじ留めされる。こうして図１の位置に到達する。ねじ１８０の打込み方向２００が第１のボア１６０のボア軸に平行、換言すると、カバー板１７０の表面１７１と垂直である限り、第１のボア１６０を通じた留め具部１８７の通過は留め具部表面１８９により妨げられる。
【００１９】
第１のボア１６０に留め具部１８７を通すために、ねじ１８０が傾けられる。図１では、ねじ頭１８２を左側に傾ける必要がある。留め具部１８７の領域でのシャフト１８３の直径が第１のボア１６０のボア径より大きくないため、ねじ１８０を押してボア１６０を通過させることができる。最後に、ねじ１８０の打込み方向２００が再度カバー板１７０の表面１７１に垂直になるまでねじ１８０の傾きを戻し、ドリル先端１８１が基板１２０の留付け領域１４０に当接するまで、ねじ１８０を押して第１のボア１６０を通過させる。ねじ１８０を傾けることができるのは、留付け領域１４０からカバー板１７０までの距離がドリル先端１８１の貫通端とねじ１８０の留め具部表面１８９の間の距離より長く、断熱パネル１５０がねじ１８０の動きに応じて押し戻しされることが理由である。
【００２０】
第２のボア２６０は、第２のボア２６０がカバー板１７０の表面１７１に垂直なボア軸を有するように、ドリル先端１８１によって留付け領域１４０に穿孔される。そうすると、第２のボア１６０のボア径がドリル先端１８１の外径と等しくなる。ねじ１８０は、留め具部表面１８９が留付け領域１４０の表面１４１に当接するまで、第１のねじ部１８４によって第２のボアを通じてねじ留めされる。こうして図２の位置に到達する。第２のボア２６０を通じた留め具部１８７の通過が留め具部表面１８９に妨げられる理由は、ねじ１８０の打込み方向２００が第２のボア１６０のボア軸に平行、換言すると、留付け領域１４０の表面１４１と垂直であるためである。ねじ１８０が第１のボア１６０と第２のボア２６０の両方に保持されているため、ねじ１８０が傾斜することはない。ボア１６０をカバー板１７０で密封するために、頭１８２が密封ワッシャー装置１８６をカバー板１７０に押圧する。
【００２１】
さらに、カバー板１７０は、断熱材１５０及びねじ１８０を介してのみ基板１２０に接続される。基板１２０とカバー板１７０の距離はねじ１８０だけで決まり、留付け領域１４０を基準とすると、ねじ頭１８２と留め具部表面１８９の距離に対応する。その場合、打込み方向から見て、その距離は密封ワッシャー装置１８６の厚さにより減少する。上述のねじでは、例えば、シャフトの直径を超える留め具をボアを通じて案内するために、ボードの一つに対して案内打込みを行う必要はない。
【００２２】
本発明は、建物の断熱を例に記載した。但し、本発明のねじは他の目的にも適用が可能であることを注記しておく。
【図１】
2016540948.tif 000002
【図２】
2016540948.tif 000003
【国際調査報告】
2016540948.tif 000004
2016540948.tif 000005
2016540948.tif 000006
2016540948.tif 000007